(57)【特許請求の範囲】
【請求項１】
複写装置による複写処理が可能な媒体に出力された著作物の複写利用管理を行うシステムであって、各複写利用者に割り当てられた複写利用者ＩＤ、当該複写利用者ＩＤの利用期限、複写利用の範囲を定めた利用区分の各情報を対応付けた複写利用者ＩＤ管理データベースと、
各著作物毎に著作物管理ＩＤを設定し、これを著作物の属性情報と、複写に関する利用条件情報とに紐付けて著作物管理データベースに格納する、管理ＩＤ設定部と、
各著作物のページ毎に、所定リスト中より空いている電子透かしＩＤを割り当てて、該当著作物に関し前記著作物管理データベースに格納されている前記著作物管理ＩＤ、および前記複写に関する利用条件情報と関連付けて電子透かしＩＤ管理データベースに登録し、前記著作物管理ＩＤに関連づけされた電子透かしＩＤと、該当著作物の該当ページのデータとを元に、電子透かしを生成し、当該電子透かしを対応する著作物の該当ページに埋め込んで、この著作物の該当ページと共に媒体に出力することで、電子透かし組込著作物を生成して電子透かし組込著作物データベースに登録する、透かし埋込処理部と、
前記電子透かし組込著作物の複写利用を受付ける複写装置より、電子透かし組込著作物のイメージデータと、複写利用者のＩＤを含む複写利用リクエストとを取得し、前記イメージデータより電子透かしを読取り、この電子透かしに組み込まれた電子透かしＩＤを抽出し、当該抽出した電子透かしＩＤに対応する前記利用条件情報を前記電子透かしＩＤ管理データベースから読み取り、前記取得した複写利用者のＩＤに対応する複写利用の利用区分情報を前記複写利用者ＩＤ管理データベースから読み取り、前記利用条件に前記利用区分が含まれているか否かで複写可否を判定し、前記複写利用リクエストに応じた複写処理を実行する処理実行指示を生成し複写装置に通知すると共に、前記判定で複写可能と判定されたイメージデータに前記読み取った電子透かしＩＤおよび利用条件情報を付加して画像データベースに登録する、実行指示部と、
前記処理実行指示に応じて複写装置にて実行された、電子透かし組込著作物の複写処理の実績情報を取得して、これを複写管理データベースに格納し、当該実績情報に応じた複写利用料金を算定して、これを出力インターフェイスに出力する、課金管理部と、
を備える複写利用管理システム。
【請求項２】
請求項１において、
前記著作物管理データベースにおいて、各著作物毎の複写に関する利用条件情報は、複写処理利用料金の算定基準となる複写単価額の情報を含むものであり、
前記課金管理部は、前記処理実行指示に応じて複写装置にて実行された、電子透かし組込著作物の複写処理の実績情報を、複写利用者の属性情報と絡めて取得し、複写利用者毎に前記実績情報を複写管理データベースに格納し管理すると共に、前記電子透かし組込著作物の複写単価額を前記著作物管理データベースにおいて特定して、この複写単価額と、前記複写管理データベースにおける複写利用者毎の実績情報とに応じて複写利用料金を算定するものであることを特徴とする、複写利用管理システム。
【請求項３】
請求項１において、
前記著作物管理データベースにおいて、各著作物毎の複写に関する利用条件情報は、複写利用者の属性に応じて設定された利用区分と、複写処理利用料金の算定基準となる複写単価額の情報とを含むものであり、
前記課金管理部は、前記処理実行指示に応じて複写装置にて実行された、電子透かし組込著作物の複写処理の実績情報を、複写利用者の属性情報と絡めて取得して、これを複写管理データベースに格納すると共に、前記複写利用者の属性情報と前記著作物管理データベースとに基づいて前記利用区分を特定し、当該利用区分に対応する複写単価額を前記著作物管理データベースにおいて特定して、複写利用者毎の実績情報および利用区分に応じた複写利用料金を算定するものであることを特徴とする、複写利用管理システム。
【請求項４】
請求項１〜３のいずれかにおいて、
前記課金管理部は、前払課金額に応じた複写処理可能量の情報を入力インターフェイスより取得し、これを電子透かし組込著作物毎に前払課金管理データベースにおいて格納すると共に、前記実績情報に含まれる著作物管理ＩＤを前記前払課金管理データベースに照合して、当該著作物管理ＩＤに対応する複写処理可能量を前記実績情報に応じて減算処理するものであることを特徴とする、複写利用管理システム。
【請求項５】
請求項１〜４のいずれかにおいて、
前記複写装置における電子透かし組込著作物の読取り時に得た、電子透かしの情報に基づいて、当該電子透かしに少なくとも含まれる著作物管理ＩＤの情報を抽出し、これを出力インターフェイスに表示する、著作権情報出力部を備える、複写利用管理システム。
【請求項６】
請求項１〜５のいずれかにおいて、
前記実行指示部は、前記透かし生成部が生成する、複写利用管理システムの属性情報ないし複写装置の属性情報を含む電子透かしの、複写物への埋込指示を、前記処理実行指示を含め、これを複写装置に通知する、ものであることを特徴とする、複写利用管理システム。
【請求項７】
複写装置による複写処理が可能な媒体に出力された著作物の複写利用管理を行うべく、各複写利用者に割り当てられた複写利用者ＩＤ、当該複写利用者ＩＤの利用期限、複写利用の範囲を定めた利用区分の各情報を対応付けた複写利用者ＩＤ管理データベースを備えたコンピュータが、
各著作物毎に著作物管理ＩＤを設定し、これを著作物の属性情報と、複写に関する利用条件情報とに紐付けて著作物管理データベースに格納する処理と、
各著作物のページ毎に、所定リスト中より空いている電子透かしＩＤを割り当てて、該当著作物に関し前記著作物管理データベースに格納されている前記著作物管理ＩＤ、および前記複写に関する利用条件情報と関連付けて電子透かしＩＤ管理データベースに登録し、前記著作物管理ＩＤに関連づけされた電子透かしＩＤと、該当著作物の該当ページのデータとを元に、電子透かしを生成し、当該電子透かしを対応する著作物の該当ページに埋め込んで、この著作物の該当ページと共に媒体に出力することで、電子透かし組込著作物を生成して電子透かし組込著作物データベースに登録する処理と、
前記電子透かし組込著作物の複写利用を受付ける複写装置より、電子透かし組込著作物のイメージデータと、複写利用者のＩＤを含む複写利用リクエストとを取得し、前記イメージデータより電子透かしを読取り、この電子透かしに組み込まれた電子透かしＩＤを抽出し、当該抽出した電子透かしＩＤに対応する前記利用条件情報を前記電子透かしＩＤ管理データベースから読み取り、前記取得した複写利用者のＩＤに対応する複写利用の利用区分情報を前記複写利用者ＩＤ管理データベースから読み取り、前記利用条件に前記利用区分が含まれているか否かで複写可否を判定し、前記複写利用リクエストに応じた複写処理を実行する処理実行指示を生成し複写装置に通知すると共に、前記判定で複写可能と判定されたイメージデータに前記読み取った電子透かしＩＤおよび利用条件情報を付加して画像データベースに登録する処理と、
前記処理実行指示に応じて複写装置にて実行された、電子透かし組込著作物の複写処理の実績情報を取得して、これを複写管理データベースに格納し、当該実績情報に応じた複写利用料金を算定して、これを出力インターフェイスに出力する処理と、
を実行することを特徴とする複写利用管理方法。
【請求項８】
複写装置による複写処理が可能な媒体に出力された著作物の複写利用管理を行うべく、各複写利用者に割り当てられた複写利用者ＩＤ、当該複写利用者ＩＤの利用期限、複写利用の範囲を定めた利用区分の各情報を対応付けた複写利用者ＩＤ管理データベースを備えたコンピュータに、
各著作物毎に著作物管理ＩＤを設定し、これを著作物の属性情報と、複写に関する利用条件情報とに紐付けて著作物管理データベースに格納する処理と、
各著作物のページ毎に、所定リスト中より空いている電子透かしＩＤを割り当てて、該当著作物に関し前記著作物管理データベースに格納されている前記著作物管理ＩＤ、および前記複写に関する利用条件情報と関連付けて電子透かしＩＤ管理データベースに登録し、前記著作物管理ＩＤに関連づけされた電子透かしＩＤと、該当著作物の該当ページのデータとを元に、電子透かしを生成し、当該電子透かしを対応する著作物の該当ページに埋め込んで、この著作物の該当ページと共に媒体に出力することで、電子透かし組込著作物を生成して電子透かし組込著作物データベースに登録する処理と、
前記電子透かし組込著作物の複写利用を受付ける複写装置より、電子透かし組込著作物のイメージデータと、複写利用者のＩＤを含む複写利用リクエストとを取得し、前記イメージデータより電子透かしを読取り、この電子透かしに組み込まれた電子透かしＩＤを抽出し、当該抽出した電子透かしＩＤに対応する前記利用条件情報を前記電子透かしＩＤ管理データベースから読み取り、前記取得した複写利用者のＩＤに対応する複写利用の利用区分情報を前記複写利用者ＩＤ管理データベースから読み取り、前記利用条件に前記利用区分が含まれているか否かで複写可否を判定し、前記複写利用リクエストに応じた複写処理を実行する処理実行指示を生成し複写装置に通知すると共に、前記判定で複写可能と判定されたイメージデータに前記読み取った電子透かしＩＤおよび利用条件情報を付加して画像データベースに登録する処理と、
前記処理実行指示に応じて複写装置にて実行された、電子透かし組込著作物の複写処理の実績情報を取得して、これを複写管理データベースに格納し、当該実績情報に応じた複写利用料金を算定して、これを出力インターフェイスに出力する処理と、
を実行させることを特徴とする複写利用管理プログラム。
【発明の詳細な説明】
【技術分野】
【０００１】
本発明は、複写利用管理システム、複写利用管理方法、および複写利用管理プログラムに関する。特に、著作物の提供に係わり、著作物に電子透かしとして識別用のＩＤを埋め込む事で複写利用の管理を行って、複写利用に関する対価の徴収や配分を容易に実現することを提供する技術に関する。
【背景技術】
【０００２】
電子透かしの技術として例えば、文書に限らず一般の二値画像に適用可能であり、画質劣化をできるだけ回避しつつ埋め込む情報量を調節できる二値画像用の電子透かし技術を提供するとの課題の下、二値画像の各画素に、当該画素を改変することの目立ちやすさに応じて、改変の優先順位を設ける優先順位設定ステップと、設定した前記優先順位に従って、該画素を抽出する画素抽出ステップと、前記抽出した画素の値を反転させることで前記情報を挿入する透かし情報挿入ステップと、を備える二値画像用電子透かし方法（特許文献１）などが提案されている。
【特許文献１】特開２００４−２８９７８３号公報
【発明の開示】
【発明が解決しようとする課題】
【０００３】
ところで、著作物には著作権が生じ、その著作権においては著作物の複製品についても複製権が生じる。また、著作物の一部を利用し新たな著作物を作成する場合でも、２次的著作物の利用に関する源著作者の権利が保証されている。しかし現状では、印刷物として利用可能な著作物に関して複写利用の実態を把握する手段が無く、一旦、市場流通した著作物に関しては、著作物利用者の倫理に委ねられている。
【０００４】
従って、複写利用される著作物について、その複写利用範囲を制限したり、複写に伴う課金を実行するといった技術が提案されることもなく、利用者の自己申告による課金や、著作物利用契約による一括課金などが複写管理手法の主流となっている。しかしながら、いずれにしても利用者からの正確な複写利用の申告が無ければ、正当な対価を回収することは困難である。
【０００５】
また、市場で流通している著作物との類似製品、または著作物の一部を利用した２次利用製品と思しきものが発見された場合であっても、実際に著作権を侵害しているかどうかを検証する必要がある。しかし、利用者が著作物に施したと思しき加工情報を取り除いて、著作物と比較するといった確認作業は、かなりの手間や時間、コストが必要となっていた。
【０００６】
そこで本発明は上記課題を鑑みてなされたものであり、複写とそれに伴う課金の管理の確実で効率的な実施を可能とする、複写利用管理システム、複写利用管理方法、複写利用管理プログラムを提供することを主たる目的とする。
【課題を解決するための手段】
【０００７】
上記課題を解決するための本発明の複写利用管理システムは、複写装置による複写処理が可能な媒体に出力された著作物の複写利用管理を行うシステムであって、各複写利用者に割り当てられた複写利用者ＩＤ、当該複写利用者ＩＤの利用期限、複写利用の範囲を定めた利用区分の各情報を対応付けた複写利用者ＩＤ管理データベースと、各著作物毎に著作物管理ＩＤを設定し、これを著作物の属性情報と、複写に関する利用条件情報とに紐付けて著作物管理データベースに格納する、管理ＩＤ設定部と、各著作物のページ毎に、所定リスト中より空いている電子透かしＩＤを割り当てて、該当著作物に関し前記著作物管理データベースに格納されている前記著作物管理ＩＤ、および前記複写に関する利用条件情報と関連付けて電子透かしＩＤ管理データベースに登録し、前記著作物管理ＩＤに関連づけされた電子透かしＩＤと、該当著作物の該当ページのデータとを元に、電子透かしを生成し、当該電子透かしを対応する著作物の該当ページに埋め込んで、この著作物の該当ページと共に媒体に出力することで、電子透かし組込著作物を生成して電子透かし組込著作物データベースに登録する、透かし埋込処理部と、前記電子透かし組込著作物の複写利用を受付ける複写装置より、電子透かし組込著作物のイメージデータと、複写利用者のＩＤを含む複写利用リクエストとを取得し、前記イメージデータより電子透かしを読取り、この電子透かしに組み込まれた電子透かしＩＤを抽出し、当該抽出した電子透かしＩＤに対応する前記利用条件情報を前記電子透かしＩＤ管理データベースから読み取り、前記取得した複写利用者のＩＤに対応する複写利用の利用区分情報を前記複写利用者ＩＤ管理データベースから読み取り、前記利用条件に前記利用区分が含まれているか否かで複写可否を判定し、前記複写利用リクエストに応じた複写処理を実行する処理実行指示を生成し複写装置に通知すると共に、前記判定で複写可能と判定されたイメージデータに前記読み取った電子透かしＩＤおよび利用条件情報を付加して画像データベースに登録する、実行指示部と、前記処理実行指示に応じて複写装置にて実行された、電子透かし組込著作物の複写処理の実績情報を取得して、これを複写管理データベースに格納し、当該実績情報に応じた複写利用料金を算定して、これを出力インターフェイスに出力する、課金管理部と、を備えることを特徴とする。
【０００８】
また、前記複写利用管理システムは、前記著作物管理データベースにおいて、各著作物毎の複写に関する利用条件情報は、複写処理利用料金の算定基準となる複写単価額の情報を含むものであり、前記課金管理部は、前記処理実行指示に応じて複写装置にて実行された、電子透かし組込著作物の複写処理の実績情報を、複写利用者の属性情報と絡めて取得し、複写利用者毎に前記実績情報を複写管理データベースに格納し管理すると共に、前記電子透かし組込著作物の複写単価額を前記著作物管理データベースにおいて特定して、この複写単価額と、前記複写管理データベースにおける複写利用者毎の実績情報とに応じて複写利用料金を算定するものであるとすれば好適である。
【０００９】
また、前記複写利用管理システムは、前記著作物管理データベースにおいて、各著作物毎の複写に関する利用条件情報は、複写利用者の属性に応じて設定された利用区分と、複写処理利用料金の算定基準となる複写単価額の情報とを含むものであり、前記課金管理部は、前記処理実行指示に応じて複写装置にて実行された、電子透かし組込著作物の複写処理の実績情報を、複写利用者の属性情報と絡めて取得して、これを複写管理データベースに格納すると共に、前記複写利用者の属性情報と前記著作物管理データベースとに基づいて前記利用区分を特定し、当該利用区分に対応する複写単価額を前記著作物管理データベースにおいて特定して、複写利用者毎の実績情報および利用区分に応じた複写利用料金を算定するものであるとすれば好適である。
【００１０】
また、前記複写利用管理システムにおいて、前記課金管理部は、前払課金額に応じた複写処理可能量の情報を入力インターフェイスより取得し、これを電子透かし組込著作物毎に前払課金管理データベースにおいて格納すると共に、前記実績情報に含まれる著作物管理ＩＤを前記前払課金管理データベースに照合して、当該著作物管理ＩＤに対応する複写処理可能量を前記実績情報に応じて減算処理するものであるとすれば好適である。
【００１１】
また、前記複写利用管理システムは、前記複写装置における電子透かし組込著作物の読取り時に得た、電子透かしの情報に基づいて、当該電子透かしに少なくとも含まれる著作物管理ＩＤの情報を抽出し、これを出力インターフェイスに表示する、著作権情報出力部を備えるとすれば好適である。
【００１２】
また、前記複写利用管理システムにおいて、前記実行指示部は、前記透かし生成部が生成する、複写利用管理システムの属性情報ないし複写装置の属性情報を含む電子透かしの、複写物への埋込指示を、前記処理実行指示を含め、これを複写装置に通知する、ものであるとすれば好適である。
【００１３】
また、本発明の複写利用管理方法は、複写装置による複写処理が可能な媒体に出力された著作物の複写利用管理を行うべく、各複写利用者に割り当てられた複写利用者ＩＤ、当該複写利用者ＩＤの利用期限、複写利用の範囲を定めた利用区分の各情報を対応付けた複写利用者ＩＤ管理データベースを備えたコンピュータが、各著作物毎に著作物管理ＩＤを設定し、これを著作物の属性情報と、複写に関する利用条件情報とに紐付けて著作物管理データベースに格納する処理と、各著作物のページ毎に、所定リスト中より空いている電子透かしＩＤを割り当てて、該当著作物に関し前記著作物管理データベースに格納されている前記著作物管理ＩＤ、および前記複写に関する利用条件情報と関連付けて電子透かしＩＤ管理データベースに登録し、前記著作物管理ＩＤに関連づけされた電子透かしＩＤと、該当著作物の該当ページのデータとを元に、電子透かしを生成し、当該電子透かしを対応する著作物の該当ページに埋め込んで、この著作物の該当ページと共に媒体に出力することで、電子透かし組込著作物を生成して電子透かし組込著作物データベースに登録する処理と、前記電子透かし組込著作物の複写利用を受付ける複写装置より、電子透かし組込著作物のイメージデータと、複写利用者のＩＤを含む複写利用リクエストとを取得し、前記イメージデータより電子透かしを読取り、この電子透かしに組み込まれた電子透かしＩＤを抽出し、当該抽出した電子透かしＩＤに対応する前記利用条件情報を前記電子透かしＩＤ管理データベースから読み取り、前記取得した複写利用者のＩＤに対応する複写利用の利用区分情報を前記複写利用者ＩＤ管理データベースから読み取り、前記利用条件に前記利用区分が含まれているか否かで複写可否を判定し、前記複写利用リクエストに応じた複写処理を実行する処理実行指示を生成し複写装置に通知すると共に、前記判定で複写可能と判定されたイメージデータに前記読み取った電子透かしＩＤおよび利用条件情報を付加して画像データベースに登録する処理と、前記処理実行指示に応じて複写装置にて実行された、電子透かし組込著作物の複写処理の実績情報を取得して、これを複写管理データベースに格納し、当該実績情報に応じた複写利用料金を算定して、これを出力インターフェイスに出力する処理と、を実行することを特徴とする。
【００１４】
また、本発明の複写利用管理プログラムは、複写装置による複写処理が可能な媒体に出力された著作物の複写利用管理を行うべく、各複写利用者に割り当てられた複写利用者ＩＤ、当該複写利用者ＩＤの利用期限、複写利用の範囲を定めた利用区分の各情報を対応付けた複写利用者ＩＤ管理データベースを備えたコンピュータに、各著作物毎に著作物管理ＩＤを設定し、これを著作物の属性情報と、複写に関する利用条件情報とに紐付けて著作物管理データベースに格納する処理と、各著作物のページ毎に、所定リスト中より空いている電子透かしＩＤを割り当てて、該当著作物に関し前記著作物管理データベースに格納されている前記著作物管理ＩＤ、および前記複写に関する利用条件情報と関連付けて電子透かしＩＤ管理データベースに登録し、前記著作物管理ＩＤに関連づけされた電子透かしＩＤと、該当著作物の該当ページのデータとを元に、電子透かしを生成し、当該電子透かしを対応する著作物の該当ページに埋め込んで、この著作物の該当ページと共に媒体に出力することで、電子透かし組込著作物を生成して電子透かし組込著作物データベースに登録する処理と、前記電子透かし組込著作物の複写利用を受付ける複写装置より、電子透かし組込著作物のイメージデータと、複写利用者のＩＤを含む複写利用リクエストとを取得し、前記イメージデータより電子透かしを読取り、この電子透かしに組み込まれた電子透かしＩＤを抽出し、当該抽出した電子透かしＩＤに対応する前記利用条件情報を前記電子透かしＩＤ管理データベースから読み取り、前記取得した複写利用者のＩＤに対応する複写利用の利用区分情報を前記複写利用者ＩＤ管理データベースから読み取り、前記利用条件に前記利用区分が含まれているか否かで複写可否を判定し、前記複写利用リクエストに応じた複写処理を実行する処理実行指示を生成し複写装置に通知すると共に、前記判定で複写可能と判定されたイメージデータに前記読み取った電子透かしＩＤおよび利用条件情報を付加して画像データベースに登録する処理と、前記処理実行指示に応じて複写装置にて実行された、電子透かし組込著作物の複写処理の実績情報を取得して、これを複写管理データベースに格納し、当該実績情報に応じた複写利用料金を算定して、これを出力インターフェイスに出力する処理と、を実行させることを特徴とする。
【００１５】
なお、前記複写利用管理システムが備える各機能部を、前記複写装置が備えるとしてもよい。
【００１６】
その他、本願が開示する課題、及びその解決方法は、発明の実施の形態の欄、及び図面により明らかにされる。
【発明の効果】
【００１７】
本発明によれば、複写とそれに伴う課金の管理の確実で効率的な実施が可能となる。
【発明を実施するための最良の形態】
【００１８】
−−−システム構成−−−
以下に本発明の実施形態について図面を用いて詳細に説明する。図１は本実施形態の複写利用管理システムを含むネットワーク構成図である。前記複写利用管理システム１００（以下システム１００）は、複写装置２００による複写処理が可能な媒体に出力された著作物の複写利用管理を行うシステムである。本実施形態におけるシステム１００は、本発明の複写利用管理方法を実行する機能を実現すべく、書き換え可能メモリなどのプログラムデータベース１０１に格納されたプログラム１０２をメモリ１０３に読み出し、演算装置たるＣＰＵ１０４により実行する。
【００１９】
また、前記システム１００は、各種ボタン類、ディスプレイなどの入出力インターフェイス１０５ならびに、複写装置２００などの各種外部装置との間のデータ授受を担う通信装置１０６などを有している。前記システム１００は、前記通信装置１０６により、複写装置２００といった外部装置と例えばインターネットやＬＡＮ、シリアル・インターフェース通信線などのネットワーク１４０を介して接続し、データ授受を実行する。システム１００の各種機能部と通信装置１０６との間ではＩ／Ｏ部１０７がデータのバッファリングや各種仲介処理を実行している。
【００２０】
続いて、前記システム１００が、例えばプログラム１０２に基づき構成・保持する機能部につき説明を行う。前記システム１００は、各著作物毎に著作物管理ＩＤを設定し、これを著作物１０の属性情報と、複写に関する利用条件情報とに紐付けて著作物管理データベース１２５に格納する、管理ＩＤ設定部１１０を備える。
【００２１】
また、前記システム１００は、各著作物毎に前記著作物管理ＩＤの情報を含んだ電子透かし２０を生成し、これを前記著作物管理ＩＤに紐付けて電子透かしＩＤ管理データベース１２６に格納する、透かし生成部１１１を備える。
【００２２】
また、前記システム１００は、前記電子透かし２０を対応する著作物１０に埋め込んで、この著作物１０と共に媒体３０に出力することで、電子透かし組込著作物５０を生成する、透かし埋込処理部１１２を備える。
【００２３】
また、前記システム１００は、前記電子透かし組込著作物５０の複写利用を受付ける複写装置２００より、電子透かし組込著作物５０のイメージデータを取得し、当該イメージデータより電子透かし２０を読取り、この電子透かし２０が含む著作物管理ＩＤに対応する著作物１０と、当該著作物１０における前記利用条件情報とを前記著作物管理データベース１２５にて特定する、利用条件特定部１１３を備える。なお、前記複写装置２００にて電子透かし組込著作物５０の複写利用を受け付ける際には、複写利用者が複写装置２００の入出力インターフェイス（例：入力ボタン群、あるいは複写利用者が備えるＩＤカードの読取りセンサなど）２０５を通じて、複写利用者の属性情報として複写利用者ＩＤを少なくとも入力しているものとする。
【００２４】
また、前記システム１００は、前記利用条件情報と、前記複写装置２００より取得した前記電子透かし組込著作物５０の複写利用リクエストの情報とを照合し、前記利用条件情報が示す利用条件内で前記複写利用リクエストに応じた複写処理を実行する処理実行指示を生成し、これを複写装置２００に通知する、実行指示部１１４を備える。
【００２５】
また、前記システム１００は、前記処理実行指示に応じて複写装置２００にて実行された、電子透かし組込著作物５０の複写処理の実績情報を取得して、これを複写管理データベース１２７に格納し、当該実績情報に応じた複写利用料金を算定して、これを出力インターフェイスに出力する、課金管理部１１５を備える。
【００２６】
また、前記システム１００の、前記著作物管理データベース１２５において、各著作物毎の複写に関する利用条件情報は、複写処理利用料金の算定基準となる複写単価額の情報を含むものであるとできる。この場合、前記課金管理部１１５は、前記処理実行指示に応じて複写装置２００にて実行された、電子透かし組込著作物５０の複写処理の実績情報を、複写利用者の属性情報と絡めて取得し、複写利用者毎に前記実績情報を複写管理データベース１２７に格納し管理すると共に、前記電子透かし組込著作物５０の複写単価額を前記著作物管理データベース１２５において特定して、この複写単価額と、前記複写管理データベース１２７における複写利用者毎の実績情報とに応じて複写利用料金を算定するものとすれば好適である。
【００２７】
また、前記システム１００の前記著作物管理データベース１２５において、各著作物毎の複写に関する利用条件情報は、複写利用者の属性に応じて設定された利用区分と、複写処理利用料金の算定基準となる複写単価額の情報とを含むものであるとしてもよい。この場合、前記課金管理部１１５は、前記処理実行指示に応じて複写装置２００にて実行された、電子透かし組込著作物５０の複写処理の実績情報を、複写利用者の属性情報と絡めて取得して、これを複写管理データベース１２７に格納すると共に、前記複写利用者の属性情報と前記著作物管理データベース１２５とに基づいて前記利用区分を特定し、当該利用区分に対応する複写単価額を前記著作物管理データベース１２５において特定して、複写利用者毎の実績情報および利用区分に応じた複写利用料金を算定するものであると好適である。
【００２８】
また、前記システム１００の前記課金管理部１１５は、前払課金額に応じた複写処理可能量の情報を入力インターフェイス１０５より取得し、これを電子透かし組込著作物毎に前払課金管理データベース１２８において格納すると共に、前記実績情報に含まれる著作物管理ＩＤを前記前払課金管理データベース１２８に照合して、当該著作物管理ＩＤに対応する複写処理可能量を前記実績情報に応じて減算処理するものであれば好適である。
【００２９】
なお、前記課金管理部１１５は、上記の通り複写利用者毎の複写利用料金を算定し、これに応じた複写利用料請求データを生成するとしてもよい。この場合、前記課金管理部１１５は前記複写利用料請求データをプリンタ等の出力インターフェイスに出力することで請求書の発行を実現する。また、前記複写利用料請求による回収金を著作者に還元するべく、回収金が得られた著作物５０の著作者を著作者管理データベース１２５にて特定し、この著作者指定の金融機関への送金指示（金融機関サーバへ前記回収金の金額と入金先となる著作者口座の情報を含むもの）を行ったり、或いは、前記回収金を定型フォームに当てはめるなどして払い出し書を発行する。こうして複写利用料の配分を行える。
【００３０】
また、前記課金管理部１１５は、前払課金額に応じた複写処理可能量を複写の実績に応じて減算する処理に関して、例えば、前払された複写利用料に応じた前払カード７０を複写利用者に事前発行するとしてもよい。この前払カード７０の記憶領域（例：磁気テープ或いはバーコード、またはＩＣチップ内のメモリ）には前払いを行った複写利用者のＩＤを設定し、このＩＤは、前払課金管理データベース１２８において前記複写利用者と紐付いている複写処理可能量と当該前払課金管理データベース１２８にて対応付けされる。つまり、複写利用に際して前記ＩＤがシステム１００で認識された場合、課金管理部１１５は、前払課金管理データベース１２８において該当する複写処理可能量の情報を照合し、残数があれば複写処理を実行し、その実行実績に応じて前記複写処理可能量を減算する。或いは、前記前払いカードの記憶領域に複写利用者のＩＤのみならず、複写処理可能量の情報を含めるとしても良い。この場合、課金管理部１１５は前払課金管理データベース１２８にアクセスすることなく、前払いカードの記憶領域にアクセスすることで複写処理可能量を認識できる。
【００３１】
また、前記システム１００は、前記複写装置２００における電子透かし組込著作物５０の読取り時に得た、電子透かし２０の情報に基づいて、当該電子透かし２０に少なくとも含まれる著作物管理ＩＤの情報を抽出し、これを出力インターフェイス１０５に表示する、著作権情報出力部１１６を備えるとすれば好適である。
【００３２】
また、前記システム１００の前記実行指示部１１４は、前記透かし生成部１１１が生成する、複写利用管理システムの属性情報ないし複写装置２００の属性情報を含む電子透かし２０の、複写物６０への埋込指示を、前記処理実行指示を含め、これを複写装置２００に通知する、ものであるとすれば好適である。
【００３３】
一方、前記複写装置２００は、本発明の複写利用管理方法を前記複写利用管理システム１００と協働して実行する機能を実現すべく、書き換え可能メモリなどのプログラムデータベース２０１に格納されたプログラム２０２をメモリ２０３に読み出し、演算装置たるＣＰＵ２０４により実行する。
【００３４】
また、前記複写装置２００は、複写枚数や複写濃淡等の各種複写指示を複写利用者から受け付けたり、処理結果を表示するための、各種ボタン類、ディスプレイなどの入出力インターフェイス２０５ならびに、前記複写利用管理システム１００などの各種外部装置との間のデータ授受を担う通信装置２０６などを有している。前記複写装置２００は、前記通信装置１０６により、システム１００などの外部装置と例えばインターネットやＬＡＮ、シリアル・インターフェース通信線などのネットワーク１４０を介して接続し、データ授受を実行する。或いは、前記複写装置２００が前記システム１００と一体となっている場合、両者はネットワーク１４０を介さず、装置内に展開されたバス等を通じたデータ授受を実行するのみである。また、複写装置２００の各種機能部と通信装置２０６との間ではＩ／Ｏ部２０７がデータのバッファリングや各種仲介処理を実行している。
【００３５】
また、前記複写装置２００は、一般のデジタル複写機などが備える複写機能を備えている。こうした複写機能には、例えば、複写対象となる紙媒体等を光学的にスキャニングしてイメージデータを取得するスキャナ機能、前記イメージデータを一旦蓄積し管理する画像データベースなどが含まれる。また、本実施形態における複写装置２００は、前記イメージデータから電子透かしを抽出して著作物管理用の情報を取り出す電子透かし解析機能や、前記著作物管理用の情報に基づいて複写可否の判定や複写利用の範囲判定を実行する判定機能や、当該判定機能からの処理結果データを元に印刷制御情報を作成して印刷機構を稼働させて前記イメージデータ（電子透かし２０を含む）の印刷を実行する出力制御機能、などを備えているとできる。或いは、前記システム１００が備える各機能部１１０〜１１６を複写装置２００が備えるとしても良い。
【００３６】
なお、これまで示した前記システム１００における各機能部１１０〜１１６は、ハードウェアとして実現してもよいし、メモリやＨＤＤ（Ｈａｒｄ  Ｄｉｓｋ  Ｄｒｉｖｅ）などの適宜な記憶装置に格納したプログラムとして実現するとしてもよい。この場合、前記ＣＰＵが、プログラム実行に合わせて記憶装置より該当プログラムをメモリ１０３に読み出して、これを実行することとなる。また、前記各機能部１１０〜１１６は、前記複写装置２００が備えるとしてもよい。つまりこの場合、複写利用管理システム１００が複写装置２００と一体化していることとなる。
【００３７】
また、前記ネットワーク１４０に関しては、インターネット、ＬＡＮの他、ＡＴＭ回線や専用回線、ＷＡＮ（Ｗｉｄｅ  Ａｒｅａ  Ｎｅｔｗｏｒｋ）、電灯線ネットワーク、無線ネットワーク、公衆回線網、携帯電話網、シリアル・インターフェース通信線など様々なネットワークを採用することも出来る。また、ＶＰＮ（Ｖｉｒｔｕａｌ  Ｐｒｉｖａｔｅ  Ｎｅｔｗｏｒｋ）など仮想専用ネットワーク技術を用いれば、インターネットを採用した際にセキュリティ性を高めた通信が確立され好適である。なお、前記シリアル・インターフェイスは、単一の信号線を用いて１ビットずつ順次データを送るシリアル伝送で、外部機器と接続するためのインターフェースを指し、通信方式としてはＲＳ−２３２Ｃ、ＲＳ−４２２、ＩｒＤＡ、ＵＳＢ、ＩＥＥＥ１３９４、ファイバ・チャネルなどが想定できる。
【００３８】
−−−データベース構造−−−
次に、本実施形態のシステム１００が備えるデータベースのデータ構造について説明する。図２は、本実施形態におけるデータベースの著作物管理データベース１２５のデータ構造を示す図である。
【００３９】
前記著作物管理データベース１２５は、各著作物毎に設定された著作物管理ＩＤと、著作物１０の属性情報と、複写に関する利用条件情報とを紐付けて格納したデータベースである。従って例えば著作物管理ＩＤをキーとして、著作物１０の属性情報としての著作物総ページ数、利用区分、複写単価といった情報を対応付けたレコードの集合体となっている。なお、前記著作物管理ＩＤは、著作者を示す著作者ＩＤと著作者が作成した著作物を式別する為の著作物番号から構成される。また、前記利用区分は著作物を複写利用する際に使用の可否や複写費用を管理するデータであり、例えば「区分：０１、の条件においては複写可」などと、割り当てられたそれぞれの利用条件に基づき、その著作物利用の可否が登録される。また、前記複写単価は、複写枚数毎の複写単価を管理するデータであり、複写枚数による複写利用料金の算定に使用される。
【００４０】
また、図３は、（ａ）著作者管理データベース１３０、（ｂ）著作物管理データベース１３１の各データ構造を示す図である。著作者管理データベース１３０は、著作物１０の著作者の情報を管理するものであり、著作者毎に設定される著作者ＩＤをキーにして、著作者名、その他に著作者の個人情報（連絡先など）、複写利用料金の配分先となる入金情報（例：金融機関の口座番号など）といった情報を関連づけたレコードの集合体となっている。
【００４１】
また、著作物データベース１３１は、著作物管理データベース１２５にて管理されている著作物１０の実画像データを管理するものであり、例えば、著作物管理ＩＤをキーとして、著作物１０のページ毎の画像データファイルである著作物データ、著作物１０において該当するページ番号といった情報が関連づけされたレコードの集合体となっている。
【００４２】
また、図４は、電子透かしＩＤ管理データベース１２６のデータ構造を示す図である。前記電子透かしＩＤ管理データベース１２６は、各著作物毎に生成された著作物管理ＩＤの情報を含んだ電子透かし２０と著作物管理ＩＤとを紐付けて格納したデータベースである。従って、例えば電子透かし２０毎に設定した電子透かしＩＤ（基本部）をキーとして、著作物管理ＩＤ、著作物の総ページ数、利用区分、複写単価といった情報を対応付けたレコードの集合体となっている。
【００４３】
なお、複写装置２００が備えるデータベースとして、画像データベース１３２がある。図５は画像データベース１３２のデータ構造を示す図である。この画像データベース１３２は複写装置２００にて取得された著作物のイメージデータを管理するデータベースであり、例えば、読み込んだ著作物のイメージデータから抽出した電子透かし２０のＩＤ、つまり電子透かしＩＤ（基本部）と電子透かしＩＤ（ページ部）をキーとして、イメージデータの管理用ＩＤとして画像管理ＩＤ、前記イメージデータのファイル名である画像データといった情報を関連づけたレコードの集合体となっている。なお、前記電子透かしＩＤ（ページ部）は、同じ著作物１０であっても電子透かし２０が埋め込まれているページを区別する必要があるため、ページ毎にＩＤを設定したものである。
【００４４】
また、図６は電子透かし組込著作物データベース１３３のデータ構造を示す図である。このデータベース１３３は、電子透かし組込著作物５０の管理を行うデータベースであり、例えば、電子透かしＩＤ（基本部、ページ部）をキーとして、著作物管理ＩＤ、電子透かし組込著作物５０のデータファイル名といった情報が関連づけたレコードの集合体となっている。
【００４５】
図７は複写利用者ＩＤ管理データベース１３４のデータ構造を示す図である。複写利用者ＩＤ管理データベース１３４は、複写利用者の管理を行うデータベースであり、例えば、複写利用者に割り当てる複写利用者ＩＤをキーとして、複写利用者ＩＤ毎の利用期限、利用区分、複写利用者個人情報などの情報が関連づけたレコードの集合体となっている。
【００４６】
図８は、複写管理データベース１２７のデータ構造を示す図である。前記複写管理データベース１２７は、電子透かし組込著作物５０の複写処理の実績情報を複写利用者の属性情報等と絡めるなどして格納したデータベースである。従って、例えば複写利用者ＩＤをキーとして、処理日時、複写した電子透かし組込著作物５０に埋め込まれていた電子透かしのＩＤ、前払い処理情報、複写枚数などといった情報を対応付けたレコードの集合体となっている。
【００４７】
また、図９に示す前記前払課金管理データベース１２８は、前払課金額に応じた複写処理可能量の情報を格納したデータベースである。従って、例えば前払課金情報を管理するための前払課金ＩＤをキーとして、販売日、利用期限、複写可能枚数（複写処理可能量）といった情報を対応付けたレコードの集合体となっている。なお、前記前払課金ＩＤは、複写利用者ＩＤとすればよい。
【００４８】
図１０は前払カード７０に登録されている前払ＩＤ管理情報１３５の構成例である。この情報は、例えば、前記前払課金ＩＤに対応した利用期限と複写残枚数（複写処理可能量）といった情報が含まれる。
【００４９】
なお、上記で示したデータベースのうち、著作物管理データベース１２５に、著作物管理ＩＤ（著作者ＩＤ、著作物番号）をキーとして前記著作物管理データベース１３０と著作物データベース１３１が一体に結合しているとしてもよい。また同様に、前記電子透かしＩＤ管理データベース１２６に、電子透かしＩＤ（基本部）をキーとして、前記電子透かし組込著作物データベース１３３が一体に結合しているとしてもよい。更に同様に、前記複写管理データベース１２７または前払課金管理データベース１２８に、複写利用者ＩＤをキーとして、前記複写利用者ＩＤ管理データベース１３４が一体に結合しているとしてもよい。したがって、システム運用上の都合やデータベース構築の思想などにより、上記各データベース１２５〜１２８と、それを補助する各データベース１３０〜１３４とを適宜組み合わせて用いるとすればよい。
【００５０】
−−−メインフロー（ステップｓ１０００〜ｓ１００２）−−−
以下、本実施形態における複写利用管理方法の実際手順例について、図に基づき説明する。なお、以下で説明する複写利用管理方法に対応する各種動作は、前記システム１００が、適宜なメモリに読み出して実行するプログラムによって実現される。そして、こうしたプログラムは、以下に説明される各種の動作を行うためのコードからそれぞれ構成されている。
【００５１】
まずは、本実施形態における複写利用管理方法のメインフロー例について説明する。図１１は、本実施形態における複写利用管理方法のメインフロー例を示す図である。ここで前記システム１００の管理ＩＤ設定部１１０は、各著作物毎に著作物管理ＩＤを設定し、これを著作物１０の属性情報と、複写に関する利用条件情報とに紐付けて著作物管理データベース１２５に格納している（ｓ１０００）。
【００５２】
また、前記システム１００の透かし生成部１１１は、各著作物毎に前記著作物管理ＩＤの情報を含んだ電子透かし２０を生成し、これを前記著作物管理ＩＤに紐付けて電子透かしＩＤ管理データベース１２６に格納している（ｓ１００１）。
【００５３】
また、前記システム１００の透かし埋込処理部１１２は、前記電子透かし２０を対応する著作物１０に埋め込んで、この著作物１０と共に媒体３０に出力することで、電子透かし組込著作物５０を生成する（ｓ１００２）。なお、ここまでのステップｓ１０００〜ｓ１００２については、次に説明するサブフロー例１にて詳述する。
【００５４】
−−−サブフロー例１−−−
図１２は本実施形態におけるサブフロー例１を示す図である。このサブフロー例１では、電子透かし２０を著作物１０に組み込む処理について説明している。システム１００は、電子透かし２０の組込み対象である著作物１０を、例えばシステム１００の管理者等がシステム１００の入出力インターフェイス１０５にて入力した、著作物管理ＩＤの情報を受け付けて、この情報に基づき特定する（Ｓ０１１）。
【００５５】
次に、システム１００は、前記ステップｓ０１１にて受け付けた著作物管理ＩＤより、著作物管理データベース１２５から各種著作物管理情報を取得する（ｓ０１２）。また、システム１００は、所定の運用ルールに基づき、所定の電子透かしＩＤのリスト（所定の記憶装置にて保持）中から空いている電子透かしＩＤを前記著作物１０に割り当てて、電子透かしＩＤ管理データベース１２６にて、前記電子透かしＩＤと著作物管理情報とを関連づけて登録する（ｓ０１３）。
【００５６】
次にシステム１００は、著作物データベース１３１から、前記著作物管理ＩＤに該当する著作物１０のデータ（著作物データ等でイメージデータを想定）を読み込み、前記割り当てた電子透かしＩＤと、著作物１０の所定ページ（著作物１０の全ページでも一部のページでもよい）のイメージデータとを元に、電子透かし２０を作成する（ｓ０１４）。また、システム１００は、前記で作成した電子透かし２０を著作物１０に組込んで、電子透かし組込著作物５０を生成し、電子透かし組込著作物データベース１３３に登録する（ｓ０１５）。
【００５７】
−−−メインフロー（ステップｓ１００３〜ｓ１０１１）−−−
メインフローに説明を戻す。続いて、上述のように生成した電子透かし組込著作物５０が頒布され、複写利用者の手に渡っている状況を想定する。この時、前記複写利用者は、前記電子透かし組込著作物５０としての例えば地図やイラスト集などの各種著作物を、複写装置２００においてコピーすることを意図しているとする。
【００５８】
この場合、前記システム１００の利用条件特定部１１３は、前記電子透かし組込著作物５０の複写利用を受付ける複写装置２００（例：システム１００とネットワーク１４０でつながったデジタル複合コピー機ないし、システム１００と一体化したコピー機）より、電子透かし組込著作物５０のイメージデータを取得する（ｓ１００３）。このイメージデータは、複写装置２００がスキャナ機能により電子透かし組込著作物５０の光学的な読取りを実行して得たイメージデータであり、例えばビットマップ形式などの電子ファイルとなっていることが考えられる。前記利用条件特定部１１３は、当該イメージデータより所定の電子透かし読取りアルゴリズムの下で電子透かし２０の読取りを実行し（ｓ１００４）、この電子透かし２０が含む著作物管理ＩＤに対応する著作物１０と、当該著作物１０における前記利用条件情報とを前記著作物管理データベース１２５にて特定する（ｓ１００５）。
【００５９】
なお、前記複写装置２００にて電子透かし組込著作物５０の複写利用を受け付ける際には、複写利用者が複写装置２００の入出力インターフェイス（例：入力ボタン群、あるいは複写利用者が備えるＩＤカードの読取りセンサなど）２０５を通じて、複写利用者の属性情報としての複写利用者ＩＤや、複写枚数の情報を少なくとも入力しているものとする。つまり、ここでの入力情報は複写装置２００からシステム１００側に伝達され、複写利用リクエストに含まれるのである。
【００６０】
次に、前記システム１００の実行指示部１１４は、前記利用条件情報と、前記複写装置２００より取得した前記電子透かし組込著作物５０の複写利用リクエストの情報とを照合し（ｓ１００６）、前記利用条件情報が示す利用条件内で前記複写利用リクエストに応じた複写処理を実行する処理実行指示を生成する（ｓ１００７）。また実行指示部１１４は、この処理実行指示を、複写装置２００に通知する（ｓ１００８）。
【００６１】
また、前記システム１００の課金管理部１１５は、前記処理実行指示に応じて複写装置２００にて実行された、電子透かし組込著作物５０の複写処理の実績情報を取得して、これを複写管理データベース１２７に格納し（ｓ１００９）、当該実績情報に応じた複写利用料金を算定して（ｓ１０１０）、これを出力インターフェイスに出力する（ｓ１０１１）。  なお、前記著作物管理データベース１２５において、各著作物毎の複写に関する利用条件情報は、複写処理利用料金の算定基準となる複写単価額の情報を含むものであるとできる。この場合、前記課金管理部１１５は、前記処理実行指示に応じて複写装置２００にて実行された、電子透かし組込著作物５０の複写処理の実績情報を、複写利用者の属性情報と絡めて取得し、複写利用者毎に前記実績情報を複写管理データベース１２７に格納し管理すると共に、前記電子透かし組込著作物５０の複写単価額を前記著作物管理データベース１２５において特定して、この複写単価額と、前記複写管理データベース１２７における複写利用者毎の実績情報とに応じて複写利用料金を算定するものとすれば好適である。
【００６２】
また、前記著作物管理データベース１２５において、各著作物毎の複写に関する利用条件情報は、複写利用者の属性に応じて設定された利用区分と、複写処理利用料金の算定基準となる複写単価額の情報とを含むものであるとしてもよい。この場合、前記課金管理部１１５は、前記処理実行指示に応じて複写装置２００にて実行された、電子透かし組込著作物５０の複写処理の実績情報を、複写利用者の属性情報と絡めて取得して、これを複写管理データベース１２７に格納すると共に、前記複写利用者の属性情報と前記著作物管理データベース１２５とに基づいて前記利用区分を特定し、当該利用区分に対応する複写単価額を前記著作物管理データベース１２５において特定して、複写利用者毎の実績情報および利用区分に応じた複写利用料金を算定するものであると好適である。
【００６３】
また、前記課金管理部１１５は、前払課金額に応じた複写処理可能量の情報を入力インターフェイス１０５より取得し、これを電子透かし組込著作物毎に前払課金管理データベース１２８において格納すると共に、前記実績情報に含まれる著作物管理ＩＤを前記前払課金管理データベース１２８に照合して、当該著作物管理ＩＤに対応する複写処理可能量を前記実績情報に応じて減算処理するものであれば好適である。
【００６４】
なお、前記課金管理部１１５は、上記の通り複写利用者毎の複写利用料金を算定し、これに応じた複写利用料請求データを生成するとしてもよい。この場合、前記課金管理部１１５は前記複写利用料請求データをプリンタ等の出力インターフェイスに出力することで請求書の発行を実現する。また、前記複写利用料請求による回収金を著作者に還元するべく、回収金が得られた著作物５０の著作者を著作者管理データベース１２５にて特定し、この著作者指定の金融機関への送金指示（金融機関サーバへ前記回収金の金額と入金先となる著作者口座の情報を含むもの）を行ったり、或いは、前記回収金を定型フォームに当てはめるなどして払い出し書を発行する。こうして複写利用料の配分を行える。
【００６５】
−−−サブフロー例２−−−
上記メインフロー（ステップｓ１００３〜ｓ１０１１）について詳述する。図１３は、本実施形態におけるサブフロー例２を示す図である。ここで述べるフロー例では、複写装置２００とシステム１００とが一体となっている状況を想定する。もちろん、複写装置２００とシステム１００とが一体となっておらず、ネットワーク１４０等を介して別個独立の装置として存在していてもよい。その場合、複写装置２００は、本実施形態における複写利用管理方法に沿った処理について、システム１００からの指示に従って実行するものとする（そのため、システム１００は複写装置２００への指示情報を適宜生成し、ネットワーク１４０を通じて通知できる）。
【００６６】
上述したように、システム１００は、複写利用者が複写装置２００の入出力インターフェイス２０５にて入力した、複写利用者ＩＤを複写装置２００より取得する（Ｓ０２１）。また、システム１００は、複写装置２００の入出力インターフェイス２０５にて複写利用者が入力した複写枚数の情報を複写装置２００より取得する（Ｓ０２２）。
【００６７】
またシステム１００は、複写装置２００より電子透かし組込著作物５０のイメージデータを取得し（Ｓ０２３）、複写対象となるイメージデータを読み込む。ここで読み込んだイメージデータ（画像）については、電子透かし解析を実行し（Ｓ０２４）、これによりイメージデータに埋め込まれた電子透かし２０を抽出すると共に、この電子透かし２０に組み込まれた電子透かしＩＤを抽出する。次にシステム１００は、抽出された電子透かしＩＤと、ステップＳ０２１で取得した複写利用者ＩＤとを元に、利用区分の解析を実行する（Ｓ０２５）。ここでは、電子透かしＩＤ管理データベース１２６及び複写利用者ＩＤ管理データベース１３４から、利用区分に関する情報を取り出して複写の可否や課金条件を解析する。例えば、抽出した電子透かし２０のＩＤが、“S01000001”だったとすれば、システム１００は、この電子透かしＩＤに対応する利用区分を、電子透かしＩＤ管理データベース１２６にて“区分０１：○〜区分ＮＮ：×”と認識できる。また一方で、複写利用者ＩＤが“U00000001”だったとすれば、システム１００は、この複写利用者の利用区分を前記複写利用者ＩＤ管理データベース１３４にて“区分０１：○”と認識できる。そこでこれらの条件を照合すれば、前記複写利用者“U00000001”は、“区分０１”であるから、該当ページについて“複写可能”であるとシステム１００は判定する。
【００６８】
また、システム１００は、複写可能と判断されたイメージデータ（画像データ）を、電子透かしの解析（Ｓ０２４）にて抽出された電子透かしＩＤ、利用区分の解析（Ｓ０２５）で確認された複写条件等、を付加して画像データベース１３２に登録する。読込終了判断（Ｓ０２７）により読込むイメージデータ（複写画像）が無くなるまで、イメージデータの読込み処理を繰り返す（ｓ０２７：ＮＯ→ｓ２０２３）。他方、イメージデータの読み込みが完了したら（ｓ０２７：ＹＥＳ）、フロー中の「接続子Ａ」に従い図１４のサブフローへと処理を移す。
【００６９】
−−−サブフロー例３−−−
図１４は本実施形態におけるサブフロー例４を示す図である。ここで述べるフロー例でも、複写装置２００とシステム１００とが一体となっている状況を想定する。もちろん、複写装置２００とシステム１００とが一体となっておらず、ネットワーク１４０等を介して別個独立の装置として存在していてもよい。その場合、複写装置２００は、本実施形態における複写利用管理方法に沿った処理について、システム１００からの指示に従って実行するものとする（そのため、システム１００は複写装置２００への指示情報を適宜生成し、ネットワーク１４０を通じて通知できる）。
【００７０】
電子透かし組込著作物５０を「複写可能」と判断した前記システム１００は、前記画像データベース１３２に登録しておいたイメージデータを抽出し（Ｓ０２８）、これを適宜なメモリ１０３等へ、複写すべき画像として読込む。そしてシステム１００は、印刷処理・電子データ化処理（Ｓ０２９）により、複写装置２００における前記イメージデータの複写処理ないし電子データ化を実行する。つまり、具体的な処理イメージとしては、例えば、コピー機から複写物が出力されるものである。
【００７１】
こうして行われた複写処理の実行情報（例：電子透かし組込著作物ＩＤ、複写枚数、複写利用者ＩＤなど）は、複写の実績情報として、複写情報の登録処理に供される（Ｓ０２Ａ）。これにより前記実績情報は、複写管理データベース１２７へ登録される。またシステム１００は、電子透かしの確認処理（Ｓ０２Ｂ）にて、複写処理するイメージデータに電子透かし２０が含まれなかった場合（Ｓ０２Ｂ：ＮＯ）、そのまま次の複写処理を行う。
【００７２】
一方、イメージデータに電子透かし２０が含まれていた場合（Ｓ０２Ｂ：ＹＥＳ）、システム１００は、電子透かしＩＤ登録処理（Ｓ０２Ｃ）を実行する。この処理では、複写情報の登録（Ｓ０２Ａ）にて複写管理データベース１２７へ登録されたレコードに、電子透かしＩＤを登録する。
【００７３】
次にシステム１００は、前記複写利用者が複写装置２００におけるカードリーダ等にかざした前記前払カード７０より、前払課金ＩＤ、利用期限、複写残枚数といった前払ＩＤ管理情報１３５を取得する（Ｓ０２Ｄ）。ここで取得した前払課金ＩＤは、複写利用者ＩＤ自体であったり或いは複写利用者ＩＤとリンクしているＩＤである。そしてシステム１００は、複写可能残枚数を確認し（Ｓ０２Ｅ）、複写可能残枚数があった場合は（Ｓ０２Ｅ：ＹＥＳ）、前払ＩＤ管理情報１３５における複写残枚数から、複写した枚数分を減じる前払カード複写残枚数消込（Ｓ０２Ｆ）を実行する。勿論、複写可能残枚数が無ければ（Ｓ０２Ｅ：ＮＯ）、複写不可として処理を終了する。
【００７４】
次にシステム１００は、複写の実績情報の登録（Ｓ０２Ａ）にて複写管理データベース１２７へ登録されたレコードに、前払処理情報を登録する前払情報登録（Ｓ０２Ｇ）を実行する。その後、複写終了（Ｓ０２Ｈ：ＹＥＳ）により全てのイメージデータ（画像）が複写を終了するまで、ステップＳ０２８からの処理を繰り返す。  
−−−サブフロー例４−−−
ここで前記前払カード７０について説明する。この前払いカードは、前記課金管理部１１５が、前払課金額に応じた複写処理可能量を複写の実績に応じて減算する処理に関して、例えば、前払された複写利用料に応じて複写利用者に事前発行するカードである。この前払カード７０の記憶領域（例：磁気テープ或いはバーコード、またはＩＣチップ内のメモリ）には、前払いを行った複写利用者のＩＤを設定し、このＩＤは、前払課金管理データベース１２８において前記複写利用者と紐付いている複写処理可能量と当該前払課金管理データベース１２８にて対応付けされる。つまり、複写利用に際して前記ＩＤがシステム１００で認識された場合、課金管理部１１５は、前払課金管理データベース１２８において該当する複写処理可能量の情報を照合し、残数があれば複写処理を実行し、その実行実績に応じて前記複写処理可能量を減算する。或いは、前記前払いカードの記憶領域に複写利用者のＩＤのみならず、複写処理可能量の情報を含めるとしても良い。この場合、課金管理部１１５は前払課金管理データベース１２８にアクセスすることなく、前払いカードの記憶領域にアクセスすることで複写処理可能量を認識できる。
【００７５】
図１５は本実施形態におけるサブフロー例４を示す図である。システム１００は、複写利用者との前払カード利用ルールにより前払カード発行処理を行うものとできる。ここでシステム１００は、発行する前払カード７０の発行枚数入力を入出力インターフェイス１０５にて受付ける（Ｓ０３１）。またシステム１００は、使用条件情報を入出力インターフェイス１０５にて受付ける（Ｓ０３２）。システム１００は、前記発行枚数の情報に基づき、前払課金管理データベース１２８から利用可能な前払ＩＤの引当を行う（Ｓ０３３）。またシステム１００は、前払カード使用条件の受付処理（Ｓ０３２）にて取得した使用条件の情報を、前払課金管理データベース１２８に登録する前払ＩＤ使用条件登録（Ｓ０３４）の処理を実行する。またシステム１００は、前記発行枚数、使用条件の各情報を元に前払カード７０の発行を実行する（Ｓ０３５）。この発行処理は、システム１００が備える適宜な機能（例：プラスティック加工、磁気記録、メモリ書込などの機能）により、所定のカード材への複写利用者ＩＤの打刻や印字などの処理やエンボス加工等を施したり、前記カード材に備わる磁気テープやＩＣチップメモリに複写利用者ＩＤや利用条件等の情報を記録したりすることとなる。
【００７６】
−−−サブフロー例５−−−
他にも、前記システム１００は、電子透かし組込著作物５０の複写利用に伴って回収した複写利用料を適宜に集計し、著作者等に配分する処理を実行できる。図１６は本実施形態におけるサブフロー例５を示す図である。まずシステム１００は、集計処理を行う期間情報を入出力インターフェイス１０５から受け付けて取得する、集計期間入力処理（Ｓ０４１）を実行する。システム１００は、ここで取得された期間情報に基づき、複写利用枚数集計処理（Ｓ０４２）を実行する。この処理は、複写管理データベース１２７の格納情報（例：複写利用者ＩＤ、電子透かしＩＤなど）を元に、複写利用者ＩＤ管理データベース１３４および電子透かしＩＤ管理データベース１２６におけるレコード検索を行い、複写利用者ＩＤ別、電子透かしＩＤ別の複写利用枚数集計を行う処理を想定できる。
【００７７】
次にシステム１００は、複写利用者ＩＤ別の複写利用費計算（Ｓ０４３）を実行する。ここでの処理は、ステップＳ０４２にて集計された複写利用者ＩＤ別の複写利用枚数を入力とし、複写利用者ＩＤ別の複写利用料計算を行い、当該複写利用料の計算結果を反映した複写利用料請求書３１１の生成と請求の処理が想定できる。複写利用料請求書３１１については、予め定型フォーマットの書式データがシステム１００の適宜な記憶装置内に格納されていて、これに前記計算結果をはめこむことで生成できるとする。
【００７８】
次にシステム１００は、著作者別の複写利用料配分計算（Ｓ０４４）を実行する。この処理では、前記ステップＳ０４２にて集計された、電子透かしＩＤ別の複写利用枚数に基づき、各著作者への複写利用料の配分処理を行う。例えば、処理対象の電子透かし組込著作物５０の複写利用枚数が１万枚で、この電子透かし組込著作物５０の複写処理単価が１５円／枚だったとすると、この電子透かし組込著作物５０の複写処理により回収される金額は１５万円となる。システム１００は著作者管理データベース１３０を参照して、前記電子透かし組込著作物５０の著作者とその入金先口座情報を認識し、該当口座への前記１５万円の入金処理（例：金融機関サーバ等への入金処理依頼実行）を実行することとなる。またシステム１００は、上述の著作者への複写利用料の配分計算の結果に基づき、著作権費用払出書３１２を作成し、これを著作者に通知する。この通知は、著作費用払出書３１２の電子データを著作者宛の電子メールに添付して送信するなどして実行する。
【００７９】
−−−その他−−−
なお、前記システム１００の著作権情報出力部１１６は、前記複写装置２００における電子透かし組込著作物５０の読取り時に得た、電子透かし２０の情報に基づいて、当該電子透かし２０に少なくとも含まれる著作物管理ＩＤの情報を抽出し、これを例えばディスプレイなどの出力インターフェイス１０５に表示するとしてもよい。これにより、複写利用者に、電子透かし組込著作物５０の著作権について明確に意識させると同時に、偽造物等でない正当な著作物である旨を理解させることができる。
【００８０】
また、前記システム１００の前記実行指示部１１４は、前記透かし生成部１１１が生成する、複写利用管理システムの属性情報ないし複写装置２００の属性情報を含む電子透かし２０の、複写物６０への埋込指示を、前記処理実行指示を含め、これを複写装置２００に通知するとしてもよい。これにより、電子透かし組込著作物５０の複写を実行する毎に、それを実行した例えば複写装置２００の情報が電子透かし２０に追記されていくこととなり、このような電子透かし２０を検証すれば、複写の履歴を時系列的に確かめることも可能である。
【００８１】
本発明によれば、印刷物に個々の著作物を識別するこのできる識別情報を電子透かしとして組み込むことで著作物の品質を損なうことなく、複写処理時に著作物の複写利用実態を把握することが可能となる。これにより著作者は利用者から複写利用の正当な課金を徴収することができる。また利用者も複写利用を行った実態値を元に利用費を請求されるため著作物を正規に利用することができる。
【００８２】
また、著作者は流通している類似製品または  著作物の一部を利用したと思われる２次利用製品を発見した際、複写利用か別の著作物かを容易に判定することができる。  
したがって、複写とそれに伴う課金の管理の確実で効率的な実施が可能となる。
【００８３】
以上、本発明の実施の形態について、その実施の形態に基づき具体的に説明したが、これに限定されるものではなく、その要旨を逸脱しない範囲で種々変更可能である。
【図面の簡単な説明】
【００８４】
【図１】本実施形態の複写利用管理システムを含むネットワーク構成図である。
【図２】本実施形態におけるデータベースの著作物管理データベースのデータ構造を示す図である。
【図３】本実施形態における（ａ）著作者管理データベース、（ｂ）著作物管理データベースの各データ構造を示す図である。
【図４】本実施形態における、電子透かしＩＤ管理データベースのデータ構造を示す図である。
【図５】本実施形態における画像データベースのデータ構造を示す図である。
【図６】本実施形態における電子透かし組込著作物データベースのデータ構造を示す図である。
【図７】本実施形態における複写利用者ＩＤ管理データベースのデータ構造を示す図である。
【図８】本実施形態における、複写管理データベースのデータ構造を示す図である。
【図９】本実施形態における前払課金管理データベースのデータ構造例である。
【図１０】本実施形態における前払カードに登録されている前払ＩＤ管理情報の構成例である。
【図１１】本実施形態における複写利用管理方法のメインフロー例を示す図である。
【図１２】本実施形態におけるサブフロー例１を示す図である。
【図１３】本実施形態におけるサブフロー例２を示す図である。
【図１４】本実施形態におけるサブフロー例３を示す図である。
【図１５】本実施形態におけるサブフロー例４を示す図である。
【図１６】本実施形態におけるサブフロー例５を示す図である。
【符号の説明】
【００８５】
１０  著作物
２０  電子透かし
３０  媒体
５０  電子透かし組込著作物
６０  複写物
７０  前払カード
１００  複写利用管理システム、システム
１０１  プログラムデータベース
１０２  プログラム
１０３  メモリ
１０４  ＣＰＵ
１０５  入出力インターフェイス
１０６  通信装置
１０７  Ｉ／Ｏ部
１１０  管理ＩＤ設定部
１１１  透かし生成部
１１２  透かし埋込処理部
１１３  利用条件特定部
１１４  実行指示部
１１５  課金管理部
１１６  著作権情報出力部
１２５  著作物管理データベース
１２６  電子透かしＩＤ管理データベース
１２７  複写管理データベース
１２８  前払課金管理データベース
１４０  ネットワーク
２００  複写装置
【図２】
0004805717.tif 000002
【図３】
0004805717.tif 000003
【図４】
0004805717.tif 000004
【図５】
0004805717.tif 000005
【図６】
0004805717.tif 000006
【図７】
0004805717.tif 000007
【図８】
0004805717.tif 000008
【図９】
0004805717.tif 000009
【図１０】
0004805717.tif 000010
【図１１】
0004805717.tif 000011
【図１２】
0004805717.tif 000012
【図１３】
0004805717.tif 000013
【図１４】
0004805717.tif 000014
【図１５】
0004805717.tif 000015
【図１６】
0004805717.tif 000016
【図１】
0004805717.tif 000017